(57)【要約】【課題】飲食物から発生する体内ガスの影響を排除して飲酒検査を行うことができる飲酒検査装置を提供する。【解決手段】  飲酒検査装置１は、ＥＣＵ３と、ドライバのアルコール濃度を検出するアルコール検知センサ４と、アルコール濃度の検出前にドライバがうがいするための水を貯めるうがい用貯水タンク５と、うがい用貯水タンク５内の貯水量を監視する貯水量監視器６とを備えている。ＥＣＵ３は、貯水量監視器６の監視信号に基づいてアルコール検知センサ４を起動するか否かを判断し、その結果に応じてアルコール検知センサ４のＯＮ／ＯＦＦを切り換えるセンサ起動判断部１１と、アルコール検知センサ４の検出信号に基づいて運転者のアルコール濃度が規定量を超えているか否かを判定し、アルコール濃度が規定量を超えているときは、車両の発進をインターロックする飲酒量判定部１２とを有している。【選択図】図１
2011112609.tif 000002
【特許請求の範囲】
【請求項１】
被験者のアルコール濃度を検出するアルコール検出手段と、
前記アルコール検出手段により検出された前記アルコール濃度に基づいて前記被験者の飲酒状態を判定する判定手段と、
前記アルコール検出手段により前記アルコール濃度を検出する前に前記被験者に対してうがいを促す手段とを備えることを特徴とする飲酒検査装置。
【請求項２】
前記うがいを促す手段は、前記被験者がうがいするためのうがい液を貯めるうがい液タンクを有することを特徴とする請求項１記載の飲酒検査装置。
【請求項３】
前記うがいを促す手段は、前記液タンクに貯められた前記うがい液の減少量を検出する液量検出手段と、前記液量検出手段により前記うがい液が所定時間内に所定量減少したことが検知されたときに、前記アルコール検出手段による前記アルコール濃度の検出を許可する検出許可手段とを更に有することを特徴とする請求項２記載の飲酒検査装置。
【発明の詳細な説明】
【技術分野】
【０００１】
本発明は、車両の運転者等が飲酒したかどうかを検査する飲酒検査装置に関するものである。
【背景技術】
【０００２】
従来の飲酒検査装置としては、例えば特許文献１に記載されているように、被験者が飲食直後にアルコール測定したことによる誤測定を回避するために、約１５分後に再測定を行うようにしたものが知られている。
【先行技術文献】
【特許文献】
【０００３】
【特許文献１】特開２００５−６９７４２号公報
【発明の概要】
【発明が解決しようとする課題】
【０００４】
しかしながら、上記従来技術においては、運転前のアルコール測定時に運転者の口に残っている飲食物から発生する体内ガスの影響により誤測定されたときには、その誤測定が解除されるまでの間、運転者は運転することができず待機していなければならない。
【０００５】
本発明の目的は、飲食物から発生する体内ガスの影響を排除して飲酒検査を行うことができる飲酒検査装置を提供することである。
【課題を解決するための手段】
【０００６】
本発明の飲酒検査装置は、被験者のアルコール濃度を検出するアルコール検出手段と、アルコール検出手段により検出されたアルコール濃度に基づいて被験者の飲酒状態を判定する判定手段と、アルコール検出手段によりアルコール濃度を検出する前に被験者に対してうがいを促す手段とを備えることを特徴とするものである。
【０００７】
このように本発明の飲酒検査装置においては、被験者のアルコール濃度を検出する前に被験者に対してうがいを促す手段を設けることにより、被験者がうがいした後に、被験者のアルコール濃度が検出され、そのアルコール濃度に基づいて被験者の飲酒状態が判定されることとなる。被験者がうがいを行うことで、被験者の口に残っている飲食物から発生する体内ガスの影響が排除されるため、アルコール濃度の検出精度が高くなる。その結果、飲酒検査を高精度に且つ迅速に行うことができる。
【０００８】
好ましくは、うがいを促す手段は、被験者がうがいするためのうがい液を貯めるうがい液タンクを有する。この場合には、うがい液タンク内のうがい液を吸引してうがいすることにより、被験者がうがい液をいちいち用意しなくて済む。
【０００９】
このとき、うがいを促す手段は、うがい液タンクに貯められたうがい液の減少量を検出する液量検出手段と、液量検出手段によりうがい液が所定時間内に所定量減少したことが検知されたときに、アルコール検出手段によるアルコール濃度の検出を許可する検出許可手段とを有することが好ましい。この場合には、被験者がうがい液タンク内のうがい液を用いてうがいしたことで、タンク内のうがい液が所定時間内に所定量減少したときに限り、アルコール検出手段によるアルコール濃度の検出が許可されるので、アルコール検出手段により被験者のアルコール濃度を検出する際に、被験者に確実にうがいさせることができる。
【発明の効果】
【００１０】
本発明によれば、飲食物から発生する体内ガスの影響を排除して飲酒検査を行うことができる。これにより、飲食物によるアルコール濃度の誤検出が抑制されるため、例えば被験者が車両の運転者の場合に、運転者が飲酒していなければ、直ちに車両の運転を行うことが可能となる。
【図面の簡単な説明】
【００１１】
【図１】本発明に係わる飲酒検査装置の一実施形態の概略構成を示すブロック図である。
【図２】図１に示した飲酒検査装置の外観の一例を示す側面図である。
【図３】図１に示したセンサ起動判断部により実行されるセンサ起動判断処理の手順を示すフローチャートである。
【図４】図１に示した飲酒量判定部により実行される飲酒量判定処理の手順を示すフローチャートである。
【発明を実施するための形態】
【００１２】
以下、本発明に係わる飲酒検査装置の好適な実施形態について、図面を参照して詳細に説明する。
【００１３】
図１は、本発明に係わる飲酒検査装置の一実施形態の概略構成を示すブロック図である。同図において、本実施形態の飲酒検査装置１は、例えば燃料電池（ＦＣ）式車両に搭載され、車両のドライバの飲酒運転を防止するための装置である。燃料電池式車両は、燃料電池を利用して発電を行い、動力を発生させる燃料電池式発電システム２を具備している。
【００１４】
飲酒検査装置１は、ＥＣＵ（Electronic Control Unit）３と、アルコール検知センサ４と、うがい用貯水タンク５と、貯水量監視器６とを備えている。ＥＣＵ３は、ＣＰＵ、ＲＯＭやＲＡＭ等のメモリ、入出力回路等により構成されている。
【００１５】
アルコール検知センサ４は、ドライバの呼気からアルコール濃度を検出するセンサである。なお、アルコール検知センサ４としては、ドライバのアルコール濃度を検出するものであれば何でも良い。
【００１６】
うがい用貯水タンク５は、アルコール検知センサ４によりドライバのアルコール濃度を検出する前にドライバがうがいするための水（うがい用水）を貯めておくタンクである。うがい用水としては、燃料電池式発電システム２から排出される水が再利用される。燃料電池式発電システム２から排出された水は、ろ過フィルタ７により不純物が除去された状態でうがい用貯水タンク５に送り込まれる。
【００１７】
貯水量監視器６は、うがい用貯水タンク５に貯められたうがい用水の量（貯水量）を計測・監視する。
【００１８】
このような飲酒検査装置１は、例えば図２に示すように、検査装置本体８と、貯水タンク構造体９とから構成されている。これらの検査装置本体８及び貯水タンク構造体９は、分離可能となっている（図２（ｂ）参照）。検査装置本体８は、上記のＥＣＵ３及びアルコール検知センサ４を含んでいる。貯水タンク構造体９は、上記のうがい用貯水タンク５、ろ過フィルタ７及び貯水量監視器６を含んでいる。貯水タンク構造体９には、うがい用水を吸引するための吸引口１０ａを有する吸引パイプ１０が引き出し可能に設けられている。
【００１９】
飲酒検査装置１は、通常は図示の通り立てられた状態となっている。ドライバがうがい用水を口に含むときは、貯水タンク構造体９内から吸引パイプ１０を引き出した状態（図２（ａ）参照）で、貯水タンク構造体９を手に持ったまま、吸引口１０ａに口をつけてうがい用水を吸い込むようにする。
【００２０】
図１に戻り、ＥＣＵ３は、センサ起動判断部１１と、飲酒量判定部１２とを有している。センサ起動判断部１１は、貯水量監視器６の監視信号に基づいてアルコール検知センサ４を起動するかどうかを判断し、その判断結果に応じてアルコール検知センサ４のＯＮ／ＯＦＦを切り換える。飲酒量判定部１２は、アルコール検知センサ４の検出信号に基づいて、運転者のアルコール濃度（アルコール量）が規定量を超えているかどうかを判定し、アルコール濃度が規定量を超えているときは、車両が発進しないようにインターロック部１３を制御する。
【００２１】
図３は、センサ起動判断部１１により実行されるセンサ起動判断処理の手順を示すフローチャートである。同図において、まず貯水量監視器６の監視信号を入力し（手順Ｓ５１）、うがい用貯水タンク５内の貯水量が一定時間内（例えば５sec以内）に２０ｍｌ以上減少したかどうかを判定する（手順Ｓ５２）。ドライバがうがいするために必要な水量は、２０ｍｌ程度である。
【００２２】
うがい用貯水タンク５内の貯水量が一定時間内に２０ｍｌ以上減少していないときは、手順Ｓ５１に戻り、うがい用貯水タンク５内の貯水量が一定時間内に２０ｍｌ以上減少したときは、アルコール検知センサ４をＯＮにする（手順Ｓ５３）。これにより、アルコール検知センサ４が起動されるため、ドライバの飲酒検査を行うことが可能となる。
【００２３】
図４は、飲酒量判定部１２により実行される飲酒量判定処理の手順を示すフローチャートである。同図において、まずアルコール検知センサ４の検出信号を入力し（手順Ｓ６１）、ドライバのアルコール濃度が規定量を超えているかどうかを判定する（手順Ｓ６２）。
【００２４】
ドライバのアルコール濃度が規定量を超えているときは、インターロック部１３を制御して燃料電池式発電システム２の始動のインターロックを行うことで、車両の発進を不許可とする（手順Ｓ６３）。
【００２５】
ドライバのアルコール濃度が規定量を超えていないときは、車両の発進を許可する（手順Ｓ６４）。すると、燃料電池式発電システム２の始動により動力が生成されると共に、燃料電池式発電システム２から水が排出される。そして、その水は、ろ過フィルタ７を通ってうがい用貯水タンク５に送水される。
【００２６】
以上において、アルコール検知センサ４は、被験者のアルコール濃度を検出するアルコール検出手段を構成する。ＥＣＵ３の飲酒量判定部１２は、アルコール検出手段により検出されたアルコール濃度に基づいて被験者の飲酒状態を判定する判定手段を構成する。うがい用貯水タンク５、貯水量監視器６、ろ過フィルタ７及びＥＣＵ３のセンサ起動判断部１１は、アルコール検出手段によりアルコール濃度を検出する前に被験者に対してうがいを促す手段を構成する。
【００２７】
このとき、うがい用貯水タンク５は、被験者がうがいするためのうがい液を貯めるうがい液タンクを構成する。貯水量監視器６は、うがい液タンクに貯められたうがい液の減少量を検出する液量検出手段を構成する。センサ起動判断部１１は、液量検出手段によりうがい液が所定時間内に所定量減少したことが検知されたときに、アルコール検出手段によるアルコール濃度の検出を許可する検出許可手段を構成する。
【００２８】
以上のように本実施形態にあっては、うがい用貯水タンク５内の貯水量が一定時間内に２０ｍｌ以上減少したことが検知されたときに限り、アルコール検知センサ４によるドライバのアルコール濃度の検出を実施するので、ドライバの飲酒検査の前にドライバは必ずうがいを行うようになる。従って、ドライバの口の中に残っている飲食物によって発生する妨害ガス（体内ガス）の影響を排除した状態で、ドライバの飲酒検査を行うことができる。これにより、飲食物に起因したアルコール濃度の誤検出を抑制し、検査精度を向上させることができる。
【００２９】
また、ドライバがうがいを行うことで、飲食物によって発生する妨害ガスの影響が効果的に排除されるため、飲食物に起因したアルコール濃度の誤検出により長い時間にわたって運転待機する必要が無い。つまり、ドライバが飲酒していなければ、ドライバは直ちに車両の運転に移ることができる。
【００３０】
さらに、うがい用貯水タンク５を設けることで、飲酒検査のたびにドライバが洗面所等に行ってうがいをする必要が無いため、ドライバの労力や煩わしさを軽減することができる。
【００３１】
また、うがい用貯水タンク５及び貯水量監視器６を設けることで、誤検知の防止のためにハイスペックなマイコンや妨害ガス専用のセンサを必要としなくて済むため、装置の大型化及び高価格化を防止することができる。
【００３２】
なお、本発明は、上記実施形態に限定されるものではない。例えば上記実施形態の飲酒検査装置１は、燃料電池式車両に搭載されるものであるが、本発明は、エンジン式、電気式、ハイブリッド式の車両等にも適用可能であることは言うまでもない。この場合でも、うがい用貯水タンク５を貯水するために数回に１回だけ水道のある場所まで出向くだけで良いので、上記と同様にドライバの労力や煩わしさを軽減することができる。また、本発明は、車両以外の交通機関に適用することも可能である。
【符号の説明】
【００３３】
１…飲酒検査装置、３…ＥＣＵ、４…アルコール検知センサ（アルコール検出手段）、５…うがい用貯水タンク（うがい液タンク、うがいを促す手段）、６…貯水量監視器（液量検出手段、うがいを促す手段）、１１…センサ起動判断部（検出許可手段、うがいを促す手段）、１２…飲酒量判定部（判定手段）。
【図１】
2011112609.tif 000003
【図２】
2011112609.tif 000004
【図３】
2011112609.tif 000005
【図４】
2011112609.tif 000006